(57)【特許請求の範囲】
【請求項１】
絶縁性の筐体の内に駆動ハンドル及び駆動ハンドルに一定方向のばね力を付与するコイルスプリングを含むスイッチ機構部を収納し、一端が駆動ハンドルの先端部に取付けられ他端側が筐体外に導出された引っ張り操作具を前記コイルスプリングに抗して引っ張ってスイッチ機構部を駆動して接点の開閉を行うプルスイッチにおいて、筐体は一面が開口した略箱状のボディと、このボディに取付けられて前記開口を覆うカバーとを備え、ボディには前記開口に連通し箱状の底部側に向かう引っ張り操作具挿入開口を設け、ボディ内に組み込んだ駆動ハンドルの先端部にはボディの底面側から開口側へ向かって突出する立ち上がり部を設け、この立ち上がり部に引っ張り操作具挿入開口に臨むと共にボディの開口側に向かって開口する逆Ｔ字状をした引っ張り操作具取付け溝を設け、コイルスプリングを引っ張り操作具取付け溝に引っかけ、且つ引っ張り操作具の一端部を引っ張り操作具取付け溝に取付けると共に引っ張り操作具挿入開口から引っ張り操作具の他端側を筐体の外部に導出し、カバーから背方に向けて突設した閉塞部がボディの内面又は外面に重ね合わされて、該閉塞部により引っ張り操作具挿入開口の入口部分が閉塞され、操作具挿入開口が孔状となることを特徴とするプルスイッチ。
【請求項２】
カバーはボディに取付けた状態で少なくとも引っ張り操作具挿入開口に対応する部分が開閉可能となっていることを特徴とする請求項１記載のプルスイッチ。
【請求項３】
立ち上がり部は引っ張り操作具を引ききった状態で立ち上がり部と引っ張り操作具の引っ張り方向とが略直交するような位置関係に設定してあることを特徴とする請求項１記載のプルスイッチ。
【発明の詳細な説明】
【０００１】
【発明の属する技術分野】
本発明は、主に照明器具などに用いられるプルスイッチに関するものである。
【０００２】
【従来の技術】
駆動ハンドルの一端に取付けられた引っ張り操作具を操作することで駆動ハンドルが回転往復運動すると共に、駆動ハンドルの回転往復運動により段車が回動して接点の開閉を行って負荷のモードが切り替わるようにしたプルスイッチが知られている。
【０００３】
上記プルスイッチは組み立て工程のうち、引っ張り操作具を取付ける手順としては、引っ張り操作具をボディに設けられた孔状の引っ張り操作具挿入開口に通し、取付け側端部を駆動ハンドルに設けた引っ張り操作具取付け部に取付けた後、駆動ハンドルをボディに組み込んでいた。このため、引っ張り操作具をボディに設けられた孔状の引っ張り操作具挿入開口に通す作業に手間がかかり、また、組み立て工程の途中において、駆動ハンドルに設けた引っ張り操作具取付け部に引っ張り操作具の取付け側端部を取付ける作業を行い、その後に駆動ハンドルを組み立てる作業を行う必要があって、組み立て加工性が悪いという問題があった。
【０００４】
また、従来、引っ張り操作具には金属製の引き輪やボールチェーン等が主に用いられてきた。このため、引っ張り接続具が金属製の場合は充電部との絶縁をとるため、駆動ハンドルには絶縁物を用いる必要があった。また、駆動ハンドルは操作力を受けるため、充分な強度が必要であり、バルカナイズド・ファイバーが用いられることが多かった。この引っ張り操作具を駆動ハンドルに取付けるには、バルカナイズド・ファイバーは小さな曲げ加工が難しいため、平面状の駆動ハンドルの一端に、孔又は引っ張り操作具の操作方向と略反対側に向かって開口する溝を形成し、引っ張り操作具を引っ掛けていた。このような従来例として実開昭５６ー１５５３９号公報がある。ところが、この従来例における引っ張り操作具の引っ掛け方向では、駆動ハンドルをボディに組み込んだ後には引っ張り操作具を取付けることができないものであり、また、ボディに設けた引っ張り操作具挿入開口も孔により構成してあるため、引っ張り操作具を孔に通さなければならず、組み立て性が悪いという問題があった。
【０００５】
また、引っ張り操作具挿入開口に導入溝を設けた従来例として実公昭４９ー１６８６３号公報に示されたものがあるが、この実公昭４９ー１６８６３号公報に示された従来例にあっては、引っ張り操作具挿入開口と導入溝の間に幅狭部があり、引っ張り操作具が自重では挿入できないという問題があった。また、引っ張り操作方向によっては、引っ張り操作具挿入開口から引っ張り具が脱出する可能性があるという問題があった。
【０００６】
また、実開昭５５ー１２８３２６号公報においてはボディとカバーとの合わせ面に引っ張り操作具挿入開口を形成しているが、引っ張り操作具挿入開口の溝がカバー側に設けられているため、カバーを取付けるまでは引っ張り操作具がガイドされないので、組み立て性が悪いという問題があった。
【０００７】
【発明が解決しようとする課題】
本発明は上記の従来例の問題点に鑑みて発明したものであって、取付部が可動であって組み込み後の位置が固定できない組み立て性の悪い引っ張り操作具を、駆動ハンドルを組み込んだ後に容易に組み込むことができて、組み立て加工性を向上させることができるプルスイッチを提供することを課題とするものである。
【０００８】
【課題を解決するための手段】
上記した本発明の課題を解決するために、本発明のプルスイッチは、絶縁性の筐体１の内に駆動ハンドル２及び駆動ハンドル２に一定方向のばね力を付与するコイルスプリング１０を含むスイッチ機構部３を収納し、一端が駆動ハンドル２の先端部に取付けられ他端側が筐体１外に導出された引っ張り操作具４を前記コイルスプリング１０に抗して引っ張ってスイッチ機構部３を駆動して接点の開閉を行うプルスイッチにおいて、筐体１は一面が開口した略箱状のボディ５と、このボディ５に取付けられて前記開口を覆うカバー６とを備え、ボディ５には前記開口に連通し箱状の底部側に向かう引っ張り操作具挿入開口７を設け、ボディ５内に組み込んだ駆動ハンドル２の先端部にはボディ５の底面側から開口側へ向かって突出する立ち上がり部８を設け、この立ち上がり部８に引っ張り操作具挿入開口７に臨むと共にボディ５の開口側に向かって開口する逆Ｔ字状をした引っ張り操作具取付け溝９を設け、コイルスプリング１０を引っ張り操作具取付け溝９に引っかけ、引っ張り操作具４の一端部を引っ張り操作具取付け溝９に取付けると共に引っ張り操作具挿入開口７から引っ張り操作具４の他端側を筐体１の外部に導出し、カバー６から背方に向けて突設した閉塞部６ａがボディ５の内面又は外面に重ね合わされて、該閉塞部６ａにより引っ張り操作具挿入開口７の入口部分が閉塞され、操作具挿入開口７が孔状となることを特徴とするものである。このような構成とすることで、駆動ハンドル２をボディ５に組み込んだ後に、ボディ５の開口側から引っ張り操作具４の端部を溝状の引っ張り操作具取付け溝９に取付け、また、引っ張り操作具４を開口側から引っ張り操作具挿入開口７に入れて通すことができ、ボディ５に取付けたカバー６により引っ張り操作具挿入開口７の入口を略閉塞して引っ張り操作具４が引っ張り操作具挿入開口７から外れないようにできるものである。またカバー６に設けた閉塞部６ａをボディ５の内面又は外面に重ね合わせて閉塞部６ａにより操作具挿入開口７の入口が閉塞して操作具挿入開口７を孔状とすることで、孔を小さく設定することが容易であり、このように孔を小さくすることで、引っ張り操作具４の操作方向を規制できて、スイッチ機構部３の接点の接触動作に悪影響を与えない。
【０００９】
また、カバー６はボディ５に取付けた状態で少なくとも引っ張り操作具挿入開口７に対応する部分が開閉可能となっていることが好ましい。このような構成とすることで、ボディ５にカバー６を取付けた後であっても、カバー６の引っ張り操作具挿入開口７に対応する部分を開いて引っ張り操作具４の端部を溝状の引っ張り操作具取付け溝９に取付け、また、引っ張り操作具４を開口側から引っ張り操作具挿入開口７に入れて通すことができ、その後、カバー６の引っ張り操作具挿入開口７に対応する部分を閉じることで引っ張り操作具挿入開口７の入口を略閉塞して引っ張り操作具４が引っ張り操作具挿入開口７から外れないようにできるものである。
【００１０】
また、立ち上がり部８は引っ張り操作具４を引ききった状態で立ち上がり部８と引っ張り操作具４の引っ張り方向とが略直交するような位置関係に設定してあることが好ましい。このような構成とすることで、引っ張り操作具４を引ききって引っ張り操作具４の立ち上がり部８への取付け部分に最も力がかかる下死点のとき、引っ張り操作具４が溝状の引っ張り操作具取付け溝９のエッジ部分に当たらず、引っ張り操作具４が切断するおそれがない。
【００１１】
【発明の実施の形態】
以下本発明を添付図面に示す実施形態に基づいて説明する。図１には本発明のプルスイッチの一実施形態の分解斜視図が示してあり、図２は正面側から見た斜視図が示してあり、図３には背面側から見た斜視図が示してある。プルスイッチの筐体１は絶縁性を有する材料により形成したボディ５と絶縁性を有する材料により形成したカバー６とで構成してある。
【００１２】
ボディ５は一側面が開口となった略箱状をしており、この略箱状をしたボディ５内にはスイッチ機構部３が収納される。スイッチ機構部３は駆動ハンドル２、駆動ハンドル２に一定方向のばね力を付与するコイルスプリング１０、心棒１１に固着した段車１２、段車１２が係止自在となった段座１３、段車１２の回動により開閉される接点１４、導電ばね１５により構成してある。また、ボディ５の下面部にはボディ５の側面側の開口１６側からボディ５の底部側（つまり開口１６と対向する他側面部側）に向かって略Ｕ字状に切り込まれた溝よりなる引っ張り操作具挿入開口７が設けてある。また、ボディ５には電線挿入孔１７、速結端子解除孔１８、係止部１９、係止孔２０等が設けてある。
【００１３】
駆動ハンドル２の端部にはボディ５の底面側から開口１６側へ向けて９０°曲げて開口１６側に向かって突出する立ち上がり部８が設けてある。この立ち上がり部８に引っ張り操作具挿入開口７に臨むと共にボディ５の開口１６側に向かって開口する溝状の引っ張り操作具取付け溝９が設けてある。駆動ハンドル２は曲げ加工の容易な金属を用いる。
【００１４】
引っ張り操作具４は一端部に取付け部となる引っ掛け部２１が設けてあり、駆動ハンドル２を含むスイッチ機構部３をボディ５内に組み込んだ後、ボディ５の開口１６側から引っ張り操作具４の一端部の引っ掛け部２１を、ボディ５の開口１６側に開口した溝状の引っ張り操作具取付け溝９に挿入して引っ掛けることで、引っ張り操作具４の端部の取付け部を取付けるものである。この場合、引っ張り操作具４をボディ５の開口１６側からボディ５に設けた溝よりなる引っ張り操作具挿入開口７に差し込んで挿通するものである。
【００１５】
ここで、図１に示す実施形態においては、引っ張り操作具４は絶縁性のある引き紐を用い、引き紐の一端部に結び目部のような引っ掛け部２１を設けると共に他端部につまみ部２５を設け、絶縁性のある引っ張り操作具４の一端部の引っ掛け部２１を駆動ハンドル２の立ち上がり部８に設けた溝状の引っ張り操作具取付け溝９にボディ５の開口１６側から引っ掛けて、金属製の駆動ハンドル２との絶縁をはかっているが、これにのみ限定されず、引っ張り操作具４として金属の引き輪を用いて一端部の引っ掛け部２１を合成樹脂の一体成形品とし、合成樹脂製の引っ掛け部２１を駆動ハンドル２の立ち上がり部８に設けた溝状の引っ張り操作具取付け溝９にボディ５の開口１６側から引っ掛けて駆動ハンドル２と絶縁するようにしてもよいものである。
【００１６】
上記のようにして引っ張り操作具４の一端部を駆動ハンドル２の引っ張り操作具取付け溝９に取付けると共に引っ張り操作具４をボディ５に設けた溝状の引っ張り操作具挿入開口７に挿通した状態で、ボディ５にカバー６を取付けるものである。カバー６の両側にはそれぞれ先端に係止爪２２を有する弾性脚２３と、係止突部２４とが設けてあり、カバー６をボディ５の一側の開口１６にはめ込んで係止爪２２を係止孔２０に係止し、係止突部２４を係止部１９に係止することでカバー６をボディ５に取付けるものである。また、カバー６には更に背方に向けて閉塞部６ａが突設してある。
【００１７】
このようにボディ５にカバー６を取付けた状態で、カバー６に設けた閉塞部６ａが図２、図３のようにボディ５の内面に重ね合わせられて該閉塞部６ａによりＵ字状をした溝よりなる操作具挿入開口７の入口が閉塞され操作具挿入開口７が孔状となるものであって、操作具挿入開口７に通した引っ張り操作具４をどの方向に引っ張っても筐体１から外れないものである。
【００１８】
ここで、上記のようにカバー６に設けた閉塞部６ａをボディ５の内面（又は外面）に重ね合わせて閉塞部６ａによりＵ字状をした溝よりなる操作具挿入開口７の入口が閉塞して操作具挿入開口７を孔状とすることで、図２、図３に示すように孔を小さく設定することが容易であり、このように孔を小さくすることで、引っ張り操作具４の操作方向を規制できて、スイッチ機構部３の接点の接触動作に悪影響を与えないものである。
【００１９】
図４には駆動ハンドル２の立ち上がり部８に設けた溝状の引っ張り操作具取付け溝９の例が示してある。図４に示すものは引っ張り操作具取付け溝９がボディ５の開口１６側に向けて開口する逆Ｔ字状をした溝であり、このように逆Ｔ字状をした溝により引っ張り操作具取付け溝９を構成した場合には、引っ張り操作具４が斜めに引かれても外れにくく、また、復帰時の跳ね返り、押し込み力が加わった場合でも、引っ張り操作具４が外れにくいものであり、また、コイルスプリング１０を引っかけることができるものである。
【００２０】
次に、本発明の他の実施形態を図５、図６に基づいて説明する。本実施形態において、カバー６はボディ５に取付けた状態で少なくとも引っ張り操作具挿入開口７に対応する部分が開閉可能となっている。すなわち、図５、図６に示すように、カバー６の端部の引っ張り操作具挿入開口７に対応する部分である開閉可能部２６がカバー６の他の部分と薄肉ヒンジ部２７を介して一体に連続形成してあり、カバー６をボディ５に取付けた状態で薄肉ヒンジ部２７を介して開閉可能部２６を開閉可能としてある。この実施形態においては、ボディ５内に駆動ハンドル２を含むスイッチ機構部３を、ボディ５の開口１６にカバー６を取付け、その後、カバー６の開閉可能部２６を図５のように開いた状態で、ボディ５の開口１６側から引っ張り操作具４の一端部の引っ掛け部２１を、ボディ５の開口１６側に向けて突出した立ち上がり部８に設けた開口１６側に開口した溝状の引っ張り操作具取付け溝９に挿入して引っ掛けることで、引っ張り操作具４の端部の取付け部を取付け、また、引っ張り操作具４をボディ５の開口１６側からボディ５に設けた溝よりなる引っ張り操作具挿入開口７に差し込んで挿通し、その後、開閉可能部２６を閉じて、開閉可能部２６の閉塞部６ａをボディ５の開口部の内面に重ねることで、引っ張り操作具挿入開口７を閉じるものである。この実施形態においては、ボディ５にスイッチ機構部３を組み込み、その後ボディ５にカバー６を取付けた後であっても、引っ張り操作具４を取付けることができてプルスイッチの組み立て性が良くなるものである。なお、図５、図６に示す実施形態においては、開閉可能部２６の端部が閉塞部６ａを構成している例を示しているが、本実施形態においても開閉可能部２６の端部から背方に突片を突出してこれを閉塞部６ａとするものである。
【００２１】
ところで、上記したいずれの実施形態においても、図７、図８に示すように、駆動ハンドル２に設けた立ち上がり部８が引っ張り操作具４を引ききった状態で立ち上がり部８と引っ張り操作具４の引っ張り方向とが略直交するような位置関係となるように設定するのが好ましい。すなわち、駆動ハンドル２に設けた立ち上がり部８の溝状の引っ張り操作具取付け溝９に一端部を取付けた引っ張り操作具４はコイルスプリング１０に抗して引っ張ることで駆動ハンドル２を一方向に回動し、引っ張り操作具４への引っ張り力を解除することでコイルスプリング１０のばね力により上記とは逆方向に回動するのであるが、コイルスプリング１０に抗して引っ張り操作具４を引ききった場合、図７に示すように、立ち上がり部８がボディ５の引っ張り操作具挿入開口７を設けた側面部と略平行となるように設定してあって、立ち上がり部８と引っ張り操作具４の引っ張り方向とが略直交するような位置関係となっている。しかして、この実施形態においては、引っ張り操作具４を引ききった状態で立ち上がり部８と引っ張り操作具４の引っ張り方向とが略直交するような位置関係となっているので、引っ張り操作具４の立ち上がり突部８への取付け部に最も力が加わる下死点のとき、図８に示すように、引っ掛け部２１が引っ張り操作具取付け溝９の両側縁部に引っ掛かった状態で引かれていることになり、その荷重が引っ掛け部２１でのみ受けられ、引っ張り操作具４の紐状部分が引っ張り操作具取付け溝９のエッジ部分に当たることがなくて引っ張り操作具４の紐状部分が切れるおそれがないものである。
【００２２】
なお、引っ張り操作具４を引ききった状態以外の場合、つまり、引っ張り操作の途中においては、主にコイルスプリング１０しか働かないので、引っ張り操作具４の紐状部分が引っ張り操作具取付け溝９のエッジ部分に当たっても支障がないものである。
【００２３】
【発明の効果】
本発明の請求項１記載の発明にあっては、上述のように、筐体は一面が開口した略箱状のボディと、このボディに取付けられて前記開口を覆うカバーとを備え、ボディには前記開口に連通し箱状の底部側に向かう引っ張り操作具挿入開口を設け、ボディ内に組み込んだ駆動ハンドルの先端部にはボディの底面側から開口側へ向かって突出する立ち上がり部を設け、この立ち上がり部に引っ張り操作具挿入開口に臨むと共にボディの開口側に向かって開口する逆Ｔ字状をした引っ張り操作具取付け溝を設け、コイルスプリングを引っ張り操作具取付け溝に引っかけ、引っ張り操作具の一端部を引っ張り操作具取付け溝に取付けると共に引っ張り操作具挿入開口から引っ張り操作具の他端側を筐体の外部に導出し、カバーから背方に向けて突設した閉塞部がボディの内面又は外面に重ね合わされて、該閉塞部により引っ張り操作具挿入開口の入口部分が閉塞され、操作具挿入開口が孔状となるので、駆動ハンドルやその他の部品をボディ内に組み込んだ後に、ボディの開口側から引っ張り操作具の端部を溝状の引っ張り操作具取付け溝に簡単に取付けることができると共に、引っ張り操作具を開口側から引っ張り操作具挿入開口に簡単に入れて通すことができて、この結果、プルスイッチの組み立て、引っ張り操作具の取付けが簡単且つ容易に行えるものであり、また、ボディ側に引っ張り操作具挿入開口を設けてあるので、カバー側に引っ張り操作具挿入開口を設ける場合に比べてカバーの取付けが容易となるものである。また、ボディに取付けたカバーにより引っ張り操作具挿入開口の入口を略閉塞することで、簡単な構成で引っ張り操作具が引っ張り操作具挿入開口から外れないようにできるものである。
【００２４】
また、請求項２記載の発明にあっては、上記請求項１記載の発明の効果に加えて、カバーはボディに取付けた状態で少なくとも引っ張り操作具挿入開口に対応する部分が開閉可能となっているので、ボディに駆動ハンドルやその他の部品を組み込み、更にボディにカバーを取付けた後であっても、ボディの開口側から引っ張り操作具の端部を溝状の引っ張り操作具取付け溝に取付け、また、引っ張り操作具を開口側から引っ張り操作具挿入開口に入れて通すことができて、プルスイッチの組み立てが簡単且つ容易に行えるものである。また、カバーを取付けた後に引っ張り操作具の取付けができるので、後から仕様の異なる引っ張り操作具を選択して取付けることが可能で、例えばユーザが仕様の異なる引っ張り操作具に変えることができるものである。
【００２５】
また、請求項３記載の発明にあっては、上記請求項１記載の発明の効果に加えて、立ち上がり部は引っ張り操作具を引ききった状態で立ち上がり部と引っ張り操作具の引っ張り方向とが略直交するような位置関係に設定してあるので、引っ張り操作具を引っ張った時に引っ張り操作具の駆動ハンドルへの取付け部分に最も力のかかる下死点で引っ張り操作具が引っ張り操作具取付け溝のエッジに当たらないため、引っ掛け操作具が切れるおそれがないものである。
【図面の簡単な説明】
【図１】本発明のプルスイッチの一実施形態の分解斜視図である。
【図２】同上の正面側から見た斜視図である。
【図３】同上の背面側から見た斜視図である。
【図４】引っ張り操作具取付け溝を形成した立ち上がり部を示す斜視図である。
【図５】本発明の他の実施形態の斜視図である。
【図６】同上のカバーの側面図である。
【図７】本発明の更に他の実施形態のカバーを省略した状態の正面図である。
【図８】同上の引っ張り操作具を引ききった状態の説明図である。
【符号の説明】
１  筐体
２  駆動ハンドル
３  スイッチ機構部
４  引っ張り操作具
５  ボディ
６  カバー
７  引っ張り操作具挿入開口
８  立ち上がり部
９  引っ張り操作具取付け溝
【図１】
0003858398.tif 000002
【図２】
0003858398.tif 000003
【図３】
0003858398.tif 000004
【図４】
0003858398.tif 000005
【図５】
0003858398.tif 000006
【図６】
0003858398.tif 000007
【図７】
0003858398.tif 000008
【図８】
0003858398.tif 000009